【事件の表示】
　特許第３４２１１９０号「ファクシミリ装置」の請求項１、４に係る特許に対する特許異議の申立てについて、次のとおり決定する。
【結　論】
　訂正を認める。
　特許第３４２１１９０号の請求項１、４に係る特許を取り消す。
【理　由】
１．手続の経緯
　　特許第３４２１１９０号の請求項１及び４に係る発明は、平成８年３月１２日に特許出願され、平成１５年４月１８日にその発明について特許の設定登録がなされ、その後、市東勇より特許異議の申立てがなされ、平成１６年５月１１日に取消理由通知がなされ、その指定期間内である平成１６年７月２０日に訂正請求がされたものである。
　　　
２．訂正の適否についての判断
２−１．訂正の内容
（ａ）訂正事項ａ
　特許請求の範囲の【請求項１】の
「前記受信した情報を前記ＳＡＦメモリに格納する受信ジョブと前記ＳＡＦメモリに格納した情報を読み出して印刷出力するＳＡＦ出力ジョブとを少なくとも実行する制御手段を有し、該制御手段は、前記受信ジョブと前記ＳＡＦ出力ジョブとを並行して実行することを特徴とするファクシミリ装置。」
を、
「前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し
　該制御手段は、
前記受信情報を格納する受信ジョブと、前記受信ジョブによって格納されているその受信情報を読み出す前記ＳＡＦ出力ジョブ
と訂正する。
　
　これに伴い、特許請求の範囲の記載と発明の詳細な説明の記載との整合をとるため、明細書の段落【０００５】の
「前記受信した情報を前記ＳＡＦメモリに格納する受信ジョブと前記ＳＡＦメモリに格納した情報を読み出して印刷出力するＳＡＦ出力ジョブとを少なくとも実行する制御手段を有し、該制御手段は、前記受信ジョブと前記ＳＡＦ出力ジョブとを並行して実行することを特徴とする。」
を
「前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し、
前記受信情報を格納している前記受信ジョブと、前記受信ジョブによって格納されているその受信情報を読み出す前記ＳＡＦ出力ジョブ
と訂正する。
（ｂ）訂正事項ｂ
　特許請求の範囲の【請求項４】の
「前記受信した情報を前記ＳＡＦメモリに格納する受信ジョブと前記ＳＡＦメモリに格納した情報を読み出して印刷出力するＳＡＦ出力ジョブとを少なくとも実行する制御手段を有し、該制御手段は、前記相手先装置からポーリング受信したときに、前記ポーリング受信した情報を前記ＳＡＦメモリに格納するポーリング受信ジョブを開始し、前記ポーリング受信ジョブの開始後に、ポーリング受信用のＳＡＦ出力ジョブを実行することを特徴とするファクシミリ装置。」
を
「前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し
　該制御手段は、前記相手先装置からポーリング受信したときに、前記ポーリング受信した情報を前記ＳＡＦメモリに格納するポーリング受信ジョブを開始し、前記ポーリング受信ジョブの開始後に、
前記ポーリング受信ジョブによって格納されているその受信情報を読み出す
と訂正する。
　
　これに伴い、特許請求の範囲の記載と発明の詳細な説明の記載との整合をとるため、明細書の段落【０００８】の
「前記受信した情報を前記ＳＡＦメモリに格納する受信ジョブと前記ＳＡＦメモリに格納した情報を読み出して印刷出力するＳＡＦ出力ジョブとを少なくとも実行する制御手段を有し、該制御手段は、前記相手先装置からポーリング受信したときに、前記ポーリング受信した情報を前記ＳＡＦメモリに格納するポーリング受信ジョブを開始し、前記ポーリング受信ジョブの開始後に、ポーリング受信用のＳＡＦ出力ジョブを実行することを特徴とする。」
を
「前記受信した情報を前記ＳＡＦメモリに格納する受信ジョブと前記ＳＡＦメモリに格納した情報を読み出して印刷出力するＳＡＦ出力ジョブとを少なくとも
実行するとともに、前記受信ジョブと前記ＳＡＦ出力ジョブの実行状態を監視する制御手段を有し、
前記ポーリング受信ジョブによって格納されているその受信情報を読み出す
と訂正する。
４を削除する。
（最後に「４を削除する。」と記載されているが、これは誤記として扱う。）
　
２−２．訂正の目的の適否、新規事項の有無及び拡張・変更の存否
　前記訂正事項ａは、特許請求の範囲の請求項１の特定事項の記載部分において、制御手段について、「前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段
　受信ジョブとＳＡＦ出力ジョブとを並行して実行することについて、「
前記受信情報を格納する受信ジョブと、前記受信ジョブによって格納されているその受信情報を読み出す前記ＳＡＦ出力ジョブ
　また、段落【０００５】の訂正も、特許請求の範囲の記載と発明の詳細な説明の記載との整合をとるための訂正であり、発明の詳細な説明を明りょうにしたものであると認められる。
　
　前記訂正事項ｂは、特許請求の範囲の請求項４の特定事項の記載部分において、制御手段について、「前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段
　ポーリング受信ジョブの開始後に、ポーリング受信用のＳＡＦ出力ジョブとを実行することについて、「前記ポーリング受信ジョブの開始後に、
前記ポーリング受信ジョブによって格納されているその受信情報を読み出す
　また、段落【０００８】の訂正も、特許請求の範囲の記載と発明の詳細な説明の記載との整合をとるための訂正であり、発明の詳細な説明を明りょうにしたものであると認められる
　
　２−３．むすび
　以上のとおりであるから、上記平成１６年７月２０日付けの訂正は、特許法第１２０条の４第２項及び第３項で準用する特許法第１２６条第２項及び第３項の規定に適合するので、当該訂正を認める。
　　
３．特許異議の申立てについての判断
３−１．本件発明
　上記２．で示したように上記訂正が認められるから、本件の請求項１及び４に係る発明は、上記訂正に係る訂正明細書の特許請求の範囲の請求項１及び４に記載された事項に特定される次のとおりのものである。
「【請求項１】 受信した情報を蓄積転送メモリ（以下、ＳＡＦメモリという）に格納して出力する機能を有するファクシミリ装置において、
　前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し
　該制御手段は、
前記受信情報を格納する受信ジョブと、前記受信ジョブによって格納されているその受信情報を読み出す前記ＳＡＦ出力ジョブ
「【請求項４】 ポーリング受信するための発呼を相手先装置に対して行い、発呼した相手先装置からポーリング受信した情報をＳＡＦメモリに格納して出力する機能を有するファクシミリ装置において、
　前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し
　該制御手段は、前記相手先装置からポーリング受信したときに、前記ポーリング受信した情報を前記ＳＡＦメモリに格納するポーリング受信ジョブを開始し、前記ポーリング受信ジョブの開始後に、
前記ポーリング受信ジョブによって格納されているその受信情報を読み出す
　　
３−２．申立て理由の概要
　申立人市東勇は、証拠として甲第１号証（特開平２−２０２７６１号公報）、甲第２号証（特開平５−６３９５１号公報）、甲第３号証（特開平３−１５５２７２号公報）を提出し、請求項１及び４に係る発明は、特許法第２９条第１項第３号あるいは同法第２９条第２項の規定に違反してなされたものであるから、特許を取り消すべき旨主張している。
　　
３−３．引用刊行物に記載された発明
　当審が平成１６年５月１１日付けで通知した取消理由で引用した刊行物は、刊行物１（特開平２−２０２７６１号公報）（甲第１号証）、刊行物２（特開平５−６３９５１号公報）（甲第２号証）、刊行物３（特開平３−１５５２７２号公報）（甲第３号証）であり、特許法第２９条第２項の規定により特許を受けることができないとしたものである。
　
３−３−１．刊行物１（特開平２−２０２７６１号公報）
（１）「（１）原稿画像を読取り画像デ−タを出力する読取手段と、
　画像デ−タに基づいて画像を記録する記録手段と、
　画像デ−タを送受信する伝送手段と、
　画像デ−タを記憶する記憶手段とを有し、
　前記読取手段からの画像デ−タを前記記憶手段に記憶せしめる第１動作、前記伝送手段により受信した画像デ−タを前記記憶手段に記憶又は前記記憶手段からの画像デ−タを前記伝送手段にて伝送せしめる第２動作及び前記記憶手段の画像デ−タに基づいて前記記録手段にて画像記録せしめる第３動作の２つを並行に動作可能としたことを特徴とする画像処理装置。
　　　（２）特許請求の範囲第（１）項に記載の画像処理装置において、前記読取手段と前記記憶手段、前記記録手段と前記記憶手段及び前記伝送手段と前記記憶手段との間で画像デ−タをＤＭＡ転送する転送手段とを有することを特徴とする画像処理装置。
　　　（３）特許請求の範囲第（１）項に記載の画像処理装置において、前記伝送手段によつて送信すべき画像デ−タの符号化及び受信された符号化デ−タの復号を行う変換手段とを有し、前記記憶手段と前記読取手段及び前記記録手段との間の画像デ−タ伝送用のバスラインとは別のバスラインを介して前記記憶手段から前記変換手段への画像デ−タの供給デ−タの取込み及び前記変換手段から前記記憶手段への画像デ−タの取込みを行うことを特徴とする画像処理装置。」（刊行物１の１頁下段左欄５行〜同頁下段右欄１４行）
（２）「本発明は以上の点に鑑みてなされたもので、原稿画像を読取り画像デ−タを出力する読取手段と、画像デ−タに基づいて画像を記録する記録手段と、画像デ−タを送受信する伝送手段と、画像デ−タを記憶する記憶手段とを有し、前記読取手段からの画像デ−タを前記記憶手段に記憶せしめる第１動作、前記伝送手段により受信した画像デ−タを前記記憶手段に記憶又は前記記憶手段からの画像デ−タを前記伝送手段にて伝送せしめる第２動作及び前記記憶手段の画像デ−タに基づいて前記記録手段にて画像記録せしめる第３動作の２つを並行に動作可能とした画像処理装置を提供するものであり、また、更には、前記読取手段と前記記憶手段、前記記録手段と前記記憶手段及び前記伝送手段と前記記憶手段との間で画像デ−タをＤＭＡ転送する転送手段とを有する画像処理装置を提供するものであり、また、更には前記伝送手段によつて送信すべき画像デ−タの符号化及び受信された符号化デ−タの復号を行う変換手段とを有し、前記記憶手段と前記読取手段及び前記記録手段との間の画像デ−タ伝送用のバスラインとは別のバスラインを介して前記記憶手段から前記変換手段への画像デ−タの供給デ−タの取込み及び前記変換手段から前記記憶手段への画像デ−タの取込みを行う画像処理装置を提供するものである。」（刊行物１の２頁下段左欄２０行〜３頁上段左欄４行）
（３）「次に受信動作を説明する。
　モデム１４を介して着信要求が生じると、前述の如くの手順に従つて、第３図（４）のステツプＳ４０及びＳ４２にて、受信動作と記録動作が起動される。
　第６図は受信動作の起動手順である。
　ＣＰＵ１２は受信動作を開始するにあたり、符号（復号）器２３、復号（符号）器２１、ＤＭＡＣ１７、ＤＭＡＣ２０及びモデム１４に受信モ−ドをセツトする。
　そして、更に、第１１図に示す如くの受信インタラプトを許可した後、監視プログラムに戻る。
　第１１図の受信インタラプトでは、モデム１４を経由して接続された相手機から送られて来た符号化デ−タはメモリ１５に一旦格納される。そして、ＤＭＡＣ１７の制御のもとてバス１６を経由して、符号（復号）器２０によりＤＭＡ転送されて復号化される。復号化された生デ−タはＤＭＡＣ２０の制御のもとに、バス２４を経由してメモリ２２にＤＭＡ転送されて格納される。
　符号化可能な生デ−タがメモリ２２に格納されると、該生デ−タはＤＭＡＣ２０の制御のもと、バス２４を経由して復号（符号）器２１にＤＭＡ転送される。復号（符号）器２１にて符号化圧縮されたデ−タは、ＤＭＡＣｌ７の制御のもとバス１６を経由して、メモリ１５にＤＭＡ転送されて格納される。
　第５図は記録動作の起動手順である。
　ＣＰＵ１２は記録動作を開始するにあたり、記録部１３、復号器１９及びＤＭＡＣ１７に記録モ−ドのセツトを行う。
　そして、更に、第９図示の記録インタラプトを許可する。
　第９図の記録インタラプトでは、ＣＰＵ１２は符号化デ−タが全てメモリ１５に格納されて復号化可能となり、且つ記録部１３が記録動作可能な状態であるならば、該符号化デ−タをＤＭＡＣ１７の制御のもとバス１６を経由して復号器１９にＤＭＡ転送し、復号器１９により復号化し生デ−タとする。そして、該生デ−タが記録部１３により画像として記録紙に記録される。又、記録部１３が記録不可能な場合には、記録可能となつた時点で、メモリ１５からの符号化デ−タの読出し復号化がなされ記録されることになる。ここで、送信時と同様に、符号（復号）器２３及び復号（符号）器２１の動作は生デ−タをそのまま、又は、縮小、拡大等の処理後転送する動作を含んでいても何ら問題はない。又、制御信号線２５はバス１６で共用してもよい。」（刊行物１の５頁下段右欄７行〜６頁上段右欄１２行）
（４）「記録動作とはバス１６を経由して復号器１９にメモリ１５の符号化デ−タが入力され、生デ−タに変換された後、記録部１３によつて印字記録されるまでを言う。」（刊行物１の６頁下段右欄１〜４行）
（５）「これら独立に動作可能な要素を組み合わせて動作させることによつて、以下の様な複数の動作を同時に実行できる。
　　（１）読取動作／送信動作
　　　メモリに蓄積された画像を送信しながら、別の原稿を読み込んでメモリに蓄積する。
　　（２）記録動作／送信動作
　　　メモリに蓄積された画像を送信しながら、メモリに蓄積された画像を記録印字する。
　　（３）読取動作／受信動作
　　　メモリに画像を受信しながら、メモリに原稿を読み込む。
　　（４）記録動作／受信動作
　　　メモリに画像を受信しながら、メモリに蓄積された画像を記録印字する。
　　（５）読取動作／記録動作
　　　メモリに蓄積された画像を記録印字しながら、原稿をメモリに読み込む。」（刊行物１の６頁下段右欄６〜２０行）
（６）上記の記載より、刊行物１には次のことが記載されている。
「原稿画像を読取り画像デ−タを出力する読取手段と、
　画像デ−タに基づいて画像を記録する記録手段と、
　画像デ−タを送受信する伝送手段と、
　画像デ−タを記憶する記憶手段と
　装置を制御する制御手段とを有し、
　前記読取手段からの画像デ−タを前記記憶手段に記憶せしめる第１動作、前記伝送手段により受信した画像デ−タを前記記憶手段に記憶又は前記記憶手段からの画像デ−タを前記伝送手段にて伝送せしめる第２動作及び前記記憶手段の画像デ−タに基づいて前記記録手段にて画像記録せしめる第３動作の２つを並行に動作可能とした画像処理装置。」
　
３−３−２．刊行物２（特開平５−６３９５１号公報）
（１）「【請求項１】発呼した装置側が画データを受信するポーリング受信機能を有するファクシミリ装置（３８）において、
ポーリング受信時において発呼した相手装置に画データが用意されているかを検出する画データ検出手段（３３）と、画データが検出されたときに、受信した画データを一時的に記憶する一時記憶手段（３４）と、画データが検出されたときに記録紙の位置セットを指示する位置セット指示手段（３５）と、記録紙の位置セットの終了を検出するセット終了検出手段（３６）を備え、記録紙の位置セットが終了したとき、前記一時記憶手段（３４）内の画データを記録開始することを特徴とするファクシミリ受信方式。」（刊行物２の２頁１欄２〜１４行、段落【特許請求の範囲】）
（２）「【作用】本発明においては、ポーリング受信時に相手装置に画データが用意されているか否かを検出し、画データがあった場合のみ記録紙の位置セットを行い、その間に受信した画データはある容量の一時記憶手段内に一時退避しておき、記録紙の位置セットが終了したことを検出したら、その一時記憶手段から画データを取り出して、記録紙に記録を開始し、空いた一時記憶手段内に順次受信した画データを入れていく。相手装置に画データが無かった場合には、記録紙の位置セットは行わない。」（刊行物２の２頁２欄６〜４４行、段落【０００９】）
（３）「３４は一時記憶手段としてのバッファメモリであり、バッファメモリ３４内には、画データが画データ検出部３３により検出された場合に、受信した画データが一時的に格納される。」（刊行物２の３頁３欄１５〜１８行、段落【００１２】）
（４）「【００１４】３７は主制御部であり、主制御部３７は各部の制御を行い、また、発呼に装置側が画データを受信する、いわゆるポーリング受信機能を有している。なお、３８はファクシミリ装置を示す。次に、動作を説明する。図３は本実施例の動作を説明するフローチャートである。
【００１５】図３において、まず、ステップＳ１でポーリング受信時において、相手装置に対して、主制御部３７は通信制御部３０、モデム部２９、回線制御部２７及び回線２８を介して発呼を行う。次に、ステップＳ２で相手装置内に画データが用意されているか否かを画データ検出部３３により、検出する。
【００１６】画データが相手装置内に用意されていないときは、終了とし、用意されているときは、ステップＳ３で受信した画データを主制御部３７の制御によりバッファメモリ３４内に書き込み開始を行う。そして、ステップＳ４で同時に、記録紙位置セット指示部３５により記録紙の位置セットの指示を行う。この記録紙の位置セットをしている間に相手装置から画データが送信されてきたら、その画データはバッファメモリ３４内に一時的に格納される。
【００１７】次に、ステップＳ５で記録紙の位置セットが終了したか否かをセット終了検出部３６により検出し、記録紙の位置セットが終了したときは、ステップＳ６でバッファメモリ３４内に格納した画データを記録紙に記録する。なお、バッファメモリ３４内の画データが取り出されている間も、画データはバッファメモリ３４内に受信、格納していた。」（刊行物２の３頁３欄２５行〜同頁４欄５行、段落【００１４】〜【００１７】）
（５）上記の記載より、刊行物２には次のことが記載されている。
「発呼した装置側が画データを受信するポーリング受信機能を有するファクシミリ装置（３８）において、
ポーリング受信時において発呼した相手装置に画データが用意されているかを検出する画データ検出手段（３３）と、画データが検出されたときに、受信した画データを一時的に記憶する一時記憶手段（３４）と、画データが検出されたときに記録紙の位置セットを指示する位置セット指示手段（３５）と、記録紙の位置セットの終了を検出するセット終了検出手段（３６）と、各部の制御を行なう主制御手段（３７）とを備え、ポーリング受信時において、記録紙の位置セットをしている間に相手装置から画データが送信されてきたら、その画データは一時記憶手段内に格納され、記録紙の位置セットが終了したとき、前記一時記憶手段（３４）内の画データを記録紙に記録し、一時記憶手段内の画データが取り出されている間も、空いた一時記憶手段内に順次受信した画データを格納することを特徴とするファクシミリ受信方式。」
　
３−４．対比・判断
３−４−１．訂正明細書の請求項１に係る発明について
　訂正明細書の請求項１に係る発明と刊行物１とを対比すると、
刊行物１の「画像処理装置」は、刊行物１の１頁の下段右欄の１８〜２０行に「本発明は画像伝送装置、特に画像メモリを装備したファクシミリ装置の如くの画像伝送装置に関するものである。」と記載されているから、訂正明細書の請求項１に係る発明の「ファクシミリ装置」に相当し、
刊行物１の「記憶手段」は、訂正明細書の請求項１に係る発明の「蓄積転送メモリ」に相当し、 
刊行物１は、画像データを送受信する伝送手段が設けられ、その画像データを記憶手段に記憶しているから、訂正明細書の請求項１に係る発明の、受信した情報をＳＡＦメモリに格納する受信ジョブに関することは行なわれており、
刊行物１には、画像デ−タに基づいて画像を記録する記録手段が記載されているから、訂正明細書の請求項１に係る発明の、ＳＡＦメモリに格納した情報を読み出して印刷出力するＳＡＦ出力ジョブを実行することに関することが行なわれており、 
刊行物１の「制御手段」は、装置を制御するとともに、それぞれの手段の状態を見ているから、下記の相違点を除いて、訂正明細書の請求項１に係る発明の「制御手段」に相当するから、
両者は、
（一致点）
「受信した情報を蓄積転送メモリ（以下、ＳＦＡメモリという）に格納して出力する機能を有するファクシミリ装置において、
　前記受信した情報を前記ＳＡＦメモリに格納する受信ジョブと前記ＳＡＦメモリに格納した情報を読み出して印刷出力するＳＡＦ出力ジョブとを少なくとも実行する制御手段を有し、
　該制御手段は、前記受信情報を格納する受信ジョブと、前記ＳＡＦ出力ジョブとを並列して実行することを特徴とするファクシミリ装置。」
の点で一致し、下記の点で相違する。
（相違点）
　制御手段が、訂正明細書の請求項１に係る発明では、受信ジョブとＳＡＦ出力ジョブの実行状態を監視し、受信情報を格納する受信ジョブと、前記受信ジョブによって格納されているその受信情報を読み出すＳＡＦ出力ジョブとを並列して実行するのに対して、刊行物１では、メモリに画像を受信しながら、メモリに蓄積された画像を記録印字を同時に実行しているが、その記録印字している画像データが、その時同時に実行されてているメモリに蓄積されている画像データであるとは記載されていない点。
（相違点の判断）
　しかしながら、上記相違点を検討すると、一般的に、メモリ記録を行なうファクシミリ装置において、受信したデータをメモリに記憶しながら、そのデータを印字出力することは周知のことである。例えば、特開平８−６５４７１号公報、特開平７−２６４３４２号公報（段落【００１０】の記載を参照。）等、また、刊行物２では、ポーリング受信についてであるが、受信した画データを一時記憶手段に記憶し、その一時記憶手段から画データを取り出して、記録紙に記録を開始し、空いた一時記憶手段内に順次受信した画データを入れていくことが記載されている点を参照。このように、メモリ記録を行ないながら、そのメモリに記憶しているデータを記録印字することは周知のことである。
　また、ＣＰＵが制御動作の監視を行ないながら、制御を行うことは、周知のことであり、同一のメモリに、書込みと、読み出しとを同時並列的に行なおうとすれば、制御手段では、それぞれの手段の動作状態を監視しながら行なわなければ同時並列的に行なえないのであり、刊行物１においても、メモリに画像を受信しながら、メモリに蓄積された画像を記録印字するなどの多重機能を同一のＣＰＵで行なうのであるから、ＣＰＵはそれぞれの書込みと読み出しとを監視しながら交互に行なっているのものと認められる。
　したがって、刊行物１においても、メモリに画像を受信しながら、メモリに蓄積された画像を記録印字することを同時に行う場合に、それぞれの手段の動作状態を監視するとともに、受信したデータをメモリに格納しながら、その格納されているデータを読み出して記録印字することを同時並列的に行うようにすることは当業者ならば容易に考えつくことである。　
　
３−４−２．訂正明細書の請求項４に係る発明について
　訂正明細書の請求項４に係る発明と刊行物２とを対比すると、
「方式」と「装置」とは表現上の相違であるから、刊行物２の「ファクシミリ受信方式」は、訂正明細書の請求項４に係る発明の「ファクシミリ装置」に相当し、
刊行物２の「一時記憶手段」は、訂正明細書の請求項４に係る発明の「ＳＡＦメモリ」に相当し、 
刊行物２では、ポーリング受信時に受信した画データを一時記憶手段に記憶しているから、訂正明細書の請求項４に係る発明の、受信した情報をＳＡＦメモリに格納する受信ジョブに関することは行なわれており、
刊行物２では、一時記憶手段から画データを取り出して、記録紙に記録しているから、訂正明細書の請求項４に係る発明の、ＳＡＦメモリに格納した情報を読み出して印刷出力するＳＡＦ出力ジョブを実行することに関することが行なわれており、 
刊行物２の「主制御手段」は、装置の各部の制御しているから、下記の相違点を除いて、訂正明細書の請求項４に係る発明の「制御手段」に相当するから、
両者は、
（一致点）
「ポーリング受信するための発呼を相手先装置に対して行い、発呼した相手先装置からポーリング受信した情報をＳＡＦメモリに格納して出力する機能を有するファクシミリ装置において、
　前記受信した情報を前記ＳＡＦメモリに格納する受信ジョブと前記ＳＡＦメモリに格納した情報を読み出して印刷出力するＳＡＦ出力ジョブとを少なくとも実行する制御手段を有し、
　該制御手段は、前記相手先装置からポーリング受信したときに、前記ポーリング受信した情報を前記ＳＡＦメモリに格納するポーリング受信ジョブを開始し、前記ポーリング受信ジョブの開始後に、ポーリング受信用のＳＡＦ出力ジョブを実行することを特徴とするファクシミリ装置。」
の点で一致し、下記の点で相違する。
（相違点）
　制御手段が、訂正明細書の請求項４に係る発明では、受信ジョブとＳＡＦ出力ジョブの実行状態を監視し、ポーリング受信ジョブの開始後に、ポーリング受信ジョブによって格納されているその受信情報を読み出すポーリング受信用のＳＡＦ出力ジョブを実行するのに対して、刊行物２では、記録紙の位置セットをしている間に相手装置から画データが送信されてきたら、その画データは一時記憶手段内に格納され、記録紙の位置セットが終了したとき、一時記憶手段内の画像データを記録紙に記録を開始し、画データが取り出されている間も、空いた一時記憶手段内に順次受信した画データを入れて行くが、それぞれの動作の実行状態を監視することについては具体的に明記されていない点。
（相違点の判断）
　しかしながら、上記相違点を検討すると、
刊行物２では、受信した画データをある容量の一時記憶手段内に一時退避しておき、記録紙の位置セットが終了したことを検出したら、その一時記憶手段から画データを取り出して、記録紙に記録を開始し、空いた一時記憶手段内に順次受信した画データを入れて行くものであり、その制御は主制御部３７により行われており、また、刊行物１では、メモリに画像を受信しながら、メモリに蓄積された画像を記録印字するなどの多重機能を同一のＣＰＵで行なうことが記載されている。同時並列的な制御を、ＣＰＵあるいは制御部で行なうときには、それぞれの実行状態を監視ししながら、行わないとできないことであり、ＣＰＵあるいは制御部がそれぞれのジョブの実効状態の監視を行ないながら、制御を行うことは、周知のことである。
　したがって、刊行物２において、受信画データのメモリへの書込みと、メモリから読み出して印字する場合に、それぞれの手段の実行状態を監視し、ポーリング受信ジョブの開始後に、ポーリング受信によって格納されているその受信情報を読み出して記録印字するようにすることは当業者ならば容易に考えつくことである。　
　
３−４−３．むすび
　以上のとおりであるから、訂正明細書の請求項１、４に係る発明は、上記各引用刊行物に記載された発明に基いて当業者が容易に発明をすることができたものであるから、訂正明細書の請求項１、４に係る発明についての特許は特許法第２９条第２項の規定に違反してされたものである。
　したがって、訂正明細書の請求項１、４に係る発明についての特許は、特許法第１１３条第２号に該当し、取り消されるべきものである。
【異議決定日】
平成１６年８月１７日（２００４．８．１７）
【訂正の要旨】
審決（決定）の【理由】欄参照。
（５４）【発明の名称】
ファクシミリ装置
（５７）【特許請求の範囲】
　【請求項１】　受信した情報を蓄積転送メモリ（以下、ＳＡＦメモリという）に格納して出力する機能を有するファクシミリ装置において、
　前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し、
　該制御手段は、
前記受信情報を格納する受信ジョブと、前記受信ジョブによって格納されているその受信情報を読み出す前記ＳＡＦ出力ジョブ
　【請求項２】　前記制御手段は、前記受信ジョブと前記ＳＡＦ出力ジョブとを並行して実行するに際して、受信のための信号を検出したときに、前記受信ジョブを実行するために必要な受信ジョブＩＤと前記ＳＡＦ出力ジョブを実行するために必要なＳＡＦ出力ジョブＩＤを獲得する処理を行い、前記受信ジョブＩＤと前記ＳＡＦ出力ジョブＩＤの両方を獲得した場合に、着呼処理を開始する請求項１記載のファクシミリ装置。
　【請求項３】　前記制御手段は、前記受信ジョブと前記ＳＡＦ出力ジョブとを並行して実行するに際して、前記受信した情報を前記ＳＡＦメモリに格納する受信ジョブの終了を監視し、受信した情報のＳＡＦメモリに対する格納が終了して監視している受信ジョブが終了したとき、前記ＳＡＦ出力ジョブの状態を確認する確認処理を行い、該確認処理において前記ＳＡＦ出力ジョブの実行中にプロッタのエラーが発生して前記ＳＡＦ出力ジョブが終了したと判断した場合、前記受信ジョブで受信した情報が前記ＳＡＦメモリに残っているかどうかを判断する判断処理を実行し、該判断処理において前記受信ジョブで受信した情報が前記ＳＡＦメモリに残っていると判断した場合には、前記プロッタのエラーが解消した後に前記ＳＡＦメモリに残っている情報を印刷出力し、前記受信ジョブで受信した情報が前記ＳＡＦメモリに残っていないと判断した場合には、前記受信ジョブを消去する消去処理を実行する請求項１記載のファクシミリ装置。
　【請求項４】
　ポーリング受信するための発呼を相手先装置に対して行い、発呼した相手先装置からポーリング受信した情報をＳＡＦメモリに格納して出力する機能を有するファクシミリ装置において、
　前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し、
　該制御手段は、前記相手先装置からポーリング受信したときに、前記ポーリング受信した情報を前記ＳＡＦメモリに格納するポーリング受信ジョブを開始し、前記ポーリング受信ジョブの開始後に、
前記ポーリング受信ジョブによって格納されているその受信情報を読み出す
【発明の詳細な説明】
　【０００１】
　【発明が属する技術分野】
　この発明は、受信した情報を蓄積転送メモリに格納して出力する機能を有するファクシミリ装置、特にジョブ管理の適正化に関するものである。
　【０００２】
　【従来の技術】
　受信した情報を蓄積転送メモリ（以下、ＳＡＦメモリという）に格納して出力するファクシミリ装置においては、受信した情報をＳＡＦメモリに一旦格納し、受信した情報を全てＳＡＦメモリに格納してからＳＡＦメモリに格納された情報を読み出して印刷出力している。
　【０００３】
　【発明が解決しようとする課題】
　上記のように受信した情報を全てＳＡＦメモリに格納してから印刷出力していると、１回の送信で大量の情報が送られるのに対処するため、大きな記憶容量を有するＳＡＦメモリが必要になり、ＳＡＦメモリが高価格になってしまう。また、先に受信した情報がＳＡＦメモリに格納されていて、ＳＡＦメモリに蓄積領域がないときに次の受信があると、受信ができなくなる場合も生じる。
　【０００４】
　この発明はかかる短所を解消するためになされたものであり、ＳＡＦメモリの容量を低減するとともに受信したときのジョブ管理の適正化を図ることができるファクシミリ装置を得ることを目的とするものである。
　【０００５】
　【課題を解決するための手段】
　この発明に係るファクシミリ装置は、受信した情報を蓄積転送メモリ（以下、ＳＡＦメモリという）に格納して出力する機能を有するファクシミリ装置において、前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し、
前記受信情報を格納する受信ジョブと、前記受信ジョブによって格納されているその受信情報を読み出す前記ＳＡＦ出力ジョブ
　【０００６】
　前記制御手段は、前記受信ジョブと前記ＳＡＦ出力ジョブとを並行して実行するに際して、受信のための信号を検出したときに、前記受信ジョブを実行するために必要な受信ジョブＩＤと前記ＳＡＦ出力ジョブを実行するために必要なＳＡＦ出力ジョブＩＤを獲得する処理を行い、前記受信ジョブＩＤと前記ＳＡＦ出力ジョブＩＤの両方を獲得した場合に、着呼処理を開始することが望ましい。
　【０００７】
　また、前記制御手段は、前記受信ジョブと前記ＳＡＦ出力ジョブとを並行して実行するに際して、前記受信した情報を前記ＳＡＦメモリに格納する受信ジョブの終了を監視し、受信した情報のＳＡＦメモリに対する格納が終了して監視している受信ジョブが終了したとき、前記ＳＡＦ出力ジョブの状態を確認する確認処理を行い、該確認処理において前記ＳＡＦ出力ジョブの実行中にプロッタのエラーが発生して前記ＳＡＦ出力ジョブが終了したと判断した場合、前記受信ジョブで受信した情報が前記ＳＡＦメモリに残っているかどうかを判断する判断処理を実行し、該判断処理において前記受信ジョブで受信した情報が前記ＳＡＦメモリに残っていると判断した場合には、前記プロッタのエラーが解消した後に前記ＳＡＦメモリに残っている情報を印刷出力し、前記受信ジョブで受信した情報が前記ＳＡＦメモリに残っていないと判断した場合には、前記受信ジョブを消去する消去処理を実行すると良い。
　【０００８】
　この発明の他のファクシミリ装置は、ポーリング受信するための発呼を相手先装置に対して行い、発呼した相手先装置からポーリング受信した情報をＳＡＦメモリに格納して出力する機能を有するファクシミリ装置において、前記受信した情報を前記ＳＡＦメモリに格納する受信ジョブと前記ＳＡＦメモリに格納した情報を読み出して印刷出力するＳＡＦ出力ジョブとを少なくとも実行
するとともに、前記受信ジョブと前記ＳＡＦ出力ジョブの実行状態を監視する制御手段を有し、
前記ポーリング受信ジョブによって格納されているその受信情報を読み出す
　【０００９】
　【発明の実施の形態】
　この発明においては、受信のための信号がリンギングとして検出されると、ＣＰＵは状態監視により受信ジョブを実行するためのジョブＩＤを獲得しジョブファイルに格納すると着呼する。その後、ＣＰＵは状態監視でＳＡＦ出力ジョブを実行するためのジョブＩＤを獲得し、受信ジョブとＳＡＦ出力ジョブを起動して、受信した画像デ−タをＳＡＦメモリに格納するとともにＳＡＦメモリに逐次格納される受信画像デ−タを読み出してプロッタに送り記録紙に印刷させる。このように受信画像デ−タをＳＡＦメモリに逐次格納するとともにＳＡＦメモリに格納した受信画像デ−タを並行して読み出して出力し印刷するから、受信画像デ−タのデ−タ量が多くてもＳＡＦメモリに格納する受信画像デ−タのデ−タ量を少なくすることができ、ＳＡＦメモリの記憶領域を小さくすることができる。
　【００１０】
　上記のようにパラレル受信で受信ジョブを実行するためのジョブＩＤを獲得してから着呼し、その後、ＳＡＦ出力ジョブを実行するためのジョブＩＤを獲得していると、ＳＡＦ出力ジョブを実行するためのジョブＩＤが確保できず、受信動作が実行できないときは、通常の受信動作と同様に回線を切るという制御を行っていると、着呼してからすぐに回線を切っても、その間に通話料が課金されてしまう。このような弊害を避けるために、パラレル受信においては、ＳＡＦ出力ジョブを実行するためのジョブＩＤを獲得してから着呼をし、ＳＡＦ出力ジョブを実行するためのジョブＩＤが獲得できないときは着呼しないようにする。
　【００１１】
　このようにパラレル受信しているときに、受信ジョブとＳＡＦ出力ジョブは同時に起動され、お互いに整合を図りながら制御されている。通常、ＳＡＦ出力ジョブを実行してプロッタで印刷処理を行っている途中でプロッタにエラ−が発生すると実行中のＳＡＦ出力ジョブを消去してしまう。このようにＳＡＦ出力ジョブを途中で消去してしまうと、受信ジョブとＳＡＦ出力ジョブで互いの整合が図りにくくなる。また、消去されたジョブファイルＩＤを２重に獲得してしまうと、ジョブ管理の制御が煩雑になってしまう。この弊害を防止するために、ＳＡＦ出力ジョブを実行しているときにプロッタにエラ−が発生したりしてＳＡＦ出力ジョブの実行ができなくなったときに、ＳＡＦ出力ジョブの消去を受信ジョブで行う。
　【００１２】
　また、パラレル受信でのポ−リング受信では、時刻指定のポ−リング受信を複数ｎ個登録する場合に、それぞれのポ−リング受信に対してポ−リング受信ジョブとＳＡＦ出力ジョブを獲得するので、ジョブファイルを２ｎ個使用することになりジョブファイルを減少させてしまい、メモリ−送信ファイルが作成できる数を減少させてしまう。そこで、ポ−リング受信の宛先を登録するときに、ポ−リング受信ジョブのみ獲得し、ポ−リング受信でのＳＡＦ出力ジョブは通信が開始されたときに獲得するように制御して、ジョブファイルの減少を防ぐ。
　【００１３】
　【実施例】
　図１はこの発明の一実施例の構成を示すブロック図である。図に示すように、ファクシミリ装置１は、装置全体の動作を管理するＣＰＵ２と、各種制御プログラム等を記憶したＲＯＭ３と、各種デ−タ等を格納するＲＡＭ４と、操作表示部５と、原稿を読み取り画像デ−タに変換するスキャナ６と、受信した画像デ−タを記録紙に印刷して記録するプロッタ７と、送受信する画像デ−タの符号化や復号化を行う圧縮復元部８と、送受信する画像デ−タを一時格納する蓄積転送メモリ（以下、ＳＡＦメモリという）９と、通信制御部１０と、モデム１１と、網制御部１２及びオプションのＳＡＦカ−ド１２を有する。オプションのＳＡＦカ−ド１２は、ユ−ザ−が自由に装着，脱着をすることができ、ＳＡＦカ−ド１２を装着することにより、ファクシミリ装置１における自己転送機能や列信機能，マルチ部数出力機能等を有効に実行することができる。ＣＰＵ２は自己転送機能を利用して受信ジョブとＳＡＦ出力ジョブとを並列に実行する直接受信のパラレル受信を行う。すなわち、ＣＰＵ２は回線１４から受信があったときに受信ジョブを実行し、受信した画像デ−タをＳＡＦメモリ９に格納するとともに、ＳＡＦメモリ９に格納した受信画像デ−タを読み出してプロッタ７に出力するＳＡＦ出力ジョブを並列して行う。
　【００１４】
　上記のように構成されたファクシミリ装置１で自己転送機能を利用して受信ジョブとＳＡＦ出力ジョブとを並列に実行する直接受信のパラレル受信をするときの動作を説明する。
　【００１５】
　網制御部１２で回線１７から受信のための信号がリンギングとして検出されると、ＣＰＵ２は着呼するかどうかの判断に入る。通常の直接受信では、プロッタ７の状態にかかわらずＳＡＦメモリ９に画像デ−タの格納領域が余っていて受信ジョブが可能な状態で、ＣＰＵ２が状態監視でＳＡＦ出力ジョブを実行するためのジョブＩＤを獲得してジョブファイルに格納すると、直ちに着呼してから受信ジョブを実行させる。パラレル受信では受信ジョブとＳＡＦ出力ジョブを並列に実行するために、受信のための信号がリンギングとして検出されると、ＣＰＵ２はＳＡＦメモリ９に画像デ−タの格納領域が余っていて受信ジョブが可能な状態で、状態監視により受信ジョブを実行するためのジョブＩＤを獲得しジョブファイルに格納すると着呼する。その後、ＣＰＵ２は状態監視でＳＡＦ出力ジョブを実行するためのジョブＩＤを獲得し、受信ジョブとＳＡＦ出力ジョブを起動して、受信した画像デ−タをＳＡＦメモリ９に格納するとともにＳＡＦメモリ９に逐次格納される受信画像デ−タを読み出してプロッタ７に送り記録紙に印刷させる。このＳＡＦ出力ジョブを実行するときにＣＰＵ２は状態監視で実行している状態をジョブファイルＩＤとして獲得し、ジョブの実行状態を監視している。このように受信画像デ−タをＳＡＦメモリ９に逐次格納するとともにＳＡＦメモリ９に格納した受信画像デ−タを並行して読み出して出力し印刷するから、受信画像デ−タのデ−タ量が多くてもＳＡＦメモリ９に格納する受信画像デ−タのデ−タ量を少なくすることができ、ＳＡＦメモリ９の記憶領域を小さくすることができる。
　【００１６】
　上記のようにパラレル受信で受信ジョブを実行するためのジョブＩＤを獲得してから着呼し、その後、ＳＡＦ出力ジョブを実行するためのジョブＩＤを獲得しているが、ＳＡＦ出力ジョブを実行するためのジョブＩＤが確保できずパラレル受信動作が実行できないときは、通常の受信動作と同様に回線を切るという制御を行っていると、着呼してからすぐに回線を切っても、その間に通話料が課金されてしまう。このような弊害を避けるために、パラレル受信においては、ＳＡＦ出力ジョブを実行するためのジョブＩＤを獲得してから着呼をし、ＳＡＦ出力ジョブを実行するためのジョブＩＤが獲得できないときは着呼しないようにすると良い。
　【００１７】
　この場合の動作を図２のフロ−チャ−トを参照して説明する。網制御部１２で回線１７から受信のための信号が検出されると、ＣＰＵ２はプロッタ７の状態にかかわらずＳＡＦメモリ９に画像デ−タの格納領域が余っていて受信ジョブが可能な状態で、受信ジョブを実行するためのジョブＩＤを獲得すると（ステップＳ１）、直ちに状態監視でＳＡＦ出力ジョブを実行するためのジョブＩＤを獲得処理に入る（ステップＳ２）。そしてＳＡＦ出力ジョブを実行するためのジョブＩＤを獲得すると着呼する（ステップＳ３，Ｓ４）。その後、ＣＰＵ２は受信ジョブとＳＡＦ出力ジョブを起動して受信ジョブとＳＡＦ出力ジョブを実行させる（ステップＳ５）。また、ＣＰＵ２は受信ジョブを実行するためのジョブＩＤとＳＡＦ出力ジョブを実行するためのジョブＩＤの両方が獲得できないときは着呼せずに処理を終了する（ステップＳ１，Ｓ３）。このようにして回線１７から受信のための信号を検出したときに、受信ジョブを実行するためのジョブＩＤとＳＡＦ出力ジョブを実行するためのジョブＩＤの両方が獲得できたときだけ着呼するから、受信できないときに余分な通話料が課金されることを防ぐことができる。
　【００１８】
　このようにパラレル受信しているときに、受信ジョブとＳＡＦ出力ジョブは同時に起動され、お互いに整合を図りながら制御されている。通常、ＳＡＦ出力ジョブを実行してプロッタ７で印刷処理を行っている途中でプロッタ７にエラ−が発生するとＳＡＦ出力ジョブは実行中のＳＡＦ出力ジョブを消去してしまう。このようにＳＡＦ出力ジョブを途中で消去してしまうと、受信ジョブとＳＡＦ出力ジョブで互いの整合が図りにくくなる。また、消去されたジョブファイルＩＤを２重に獲得してしまうと、ジョブ管理の制御が煩雑になってしまう。この弊害を防止するために、ＳＡＦ出力ジョブを実行しているときにプロッタ７にエラ−が発生したりしてＳＡＦ出力ジョブの実行ができなくなったときに、ＳＡＦ出力ジョブの消去を受信ジョブで行うと良い。この場合の動作を図３，図４のフロ−チャ−トを参照して説明する。
　【００１９】
　すなわち、図３に示すように、ＣＰＵ２はＳＡＦ出力ジョブが起動すると（ステップＳ１１）、状態監視の動作状態を覚えておく領域にＳＡＦ出力ジョブ実行中をセットする（ステップＳ１２）。そしてＳＡＦ出力ジョブを実行しているときにプロッタ７にエラ−が発生せずにＳＡＦ出力ジョブが正常に終了すると（ステップＳ１３，Ｓ１４）、セットしたＳＡＦ出力ジョブ実行中をＳＡＦ出力ジョブ実行終了にする（ステップＳ１５）。また、ＳＡＦ出力ジョブを実行しているときにプロッタ７にエラ−が発生したときも（ステップＳ１３）、セットしたＳＡＦ出力ジョブ実行中をＳＡＦ出力ジョブ実行終了にする（ステップＳ１５）。
　【００２０】
　一方、ＣＰＵ２は、図４に示すように、受信ジョブを開始すると（ステップＳ２１）、その状態を確認して受信している画像デ−タのＳＡＦメモリ９に対する格納が終了したかどうかを判断する（ステップＳ２２）。そして画像デ−タのＳＡＦメモリ９に対する格納が終了したら、ＳＡＦメモリ９からの画像デ−タの出力状態から同時に起動したＳＡＦ出力ジョブの状態を確認し（ステップＳ２３）、ＳＡＦ出力ジョブ実行中がセットされていたら、ＳＡＦ出力ジョブは実行中と判断して、実行終了するまで待つ。この状態でＳＡＦ出力ジョブ実行終了がセットされると、実行していたＳＡＦ出力ジョブを受信ジョブで消去させる（ステップＳ２４）。その後、受信ジョブでＳＡＦメモリ９を確認して、受信した画像デ−タが残っているかどうかを調べる（ステップＳ２５）。この確認の結果、ＳＡＦメモリ９に受信した画像デ−タが残っていないときは、受信した画像デ−タが全てプロッタ７に出力されて印刷されたと判断して実行していた受信ジョブを消去する（ステップＳ２６）。また、ＳＡＦメモリ９に受信した画像デ−タが残っているときは、プロッタ７にエラ−は発生したと判断し、ＳＡＦ出力ジョブで受信した画像デ−タの再出力処理を行う（ステップＳ２７）。この画像デ−タの再出力処理は、通常の代行受信ファイル出力と同様に、プロッタ７のエラ−が解消したらＳＡＦメモリ９に残っている受信した画像デ−タを再出力する。この再出力処理が終了したことを受信ジョブで確認すると実行していた受信ジョブを消去する（ステップＳ２８，Ｓ２６）。
　【００２１】
　また、パラレル受信でのポ−リング受信では、操作表示部５からのオペレ−ションによるジョブ作成となる。通常は、ポ−リング受信ジョブとＳＡＦ出力ジョブをオペレ−ションが獲得する方法が共通となるが、この制御で、例えば図５のフロ−チャ−トに示すように、時刻指定のポ−リング受信Ａ，Ｂを２つ作成する場合には、操作表示部５でポ−リング受信Ａのための宛先を登録したときに（ステップＳ３１）、ポ−リング受信ジョブＡ１を獲得してからＳＡＦ出力ジョブＡ２を獲得する（ステップＳ３２，Ｓ３３）。その後、ポ−リング受信Ｂのための宛先を登録したときに（ステップＳ３４）、ポ−リング受信ジョブＢ１を獲得してからＳＡＦ出力ジョブＢ２を獲得する（ステップＳ３５，Ｓ３６）。このように、それぞれのポ−リング受信Ａ，Ｂに対してポ−リング受信ジョブＡ１，Ｂ１とＳＡＦ出力ジョブＡ２，Ｂ２を獲得するので、ジョブファイルを４つ使用することになる。例えば、メモリ−送信ファイルが１００ファイル作成できるマシンでは、メモリ−送信ファイルが４つ減少するので、メモリ−送信ファイルは９６ファイルしか作成できなくなる。すなわち、ポ−リング受信を１つ作成すたびにジョブファイルを２つ減少させてしまい、メモリ−送信ファイルが作成できる数を減少させてしまう。そこで、ポ−リング受信の宛先を登録するときに、ポ−リング受信ジョブのみ獲得し、ポ−リング受信でのＳＡＦ出力ジョブは通信が開始されたときに獲得するように制御する。
　【００２２】
　すなわち、ポ−リング受信の宛先を登録するときに、例えば図６のフロ−チャ−トに示すように、ポ−リング受信Ａのための宛先を登録したらポ−リング受信ジョブＡ１を獲得しジョブファイルに登録し（ステップＳ４１，Ｓ４２）、ポ−リング受信Ｂのための宛先を登録したらポ−リング受信ジョブＢ１を獲得してジョブファイルに登録する（ステップＳ４３，Ｓ４４）。
　【００２３】
　この状態で相手先からの送信ジョブが始まったときに、図７のフロ−チャ−トに示すように、ポ−リング受信かどうかを判断し（ステップＳ５１）、ポ−リング受信のときにＳＡＦ出力ジョブを獲得し、ＳＡＦ出力ジョブＩＤを該当するポ−リング受信ジョブのあるエリアに記憶させる（ステップＳ５２，Ｓ５３）。その後、ポ−リング受信ジョブとＳＡＦ出力ジョブを起動して受信画像デ−タをＳＡＦメモリ９に格納しながらＳＡＦメモリ９からの画像デ−タ出力ジョブを実行する（ステップＳ５４）。ポ−リング受信の画像デ−タの出力が終了したら、ＳＡＦ出力ジョブＩＤをポ−リング受信ジョブに通知してＳＡＦ出力ジョブが終了したことを知らせ（ステップＳ５０，Ｓ５１）、ポ−リング受信ジョブでＳＡＦ出力ジョブを消去して実行しているポ−リング受信ジョブを消去する（ステップＳ５７，Ｓ５８）。また、相手先からの送信ジョブが始まったときに、ポ−リング受信でないときは、図２，図３に示した通常の受信処理を行う（ステップＳ５９）。
　【００２４】
　【発明の効果】
　この発明は以上説明したように、受信のための信号がリンギングとして検出されると、受信ジョブを実行するためのジョブＩＤを獲得しジョブファイルに格納すると着呼し、その後、ＳＡＦ出力ジョブを実行するためのジョブＩＤを獲得し、受信ジョブとＳＡＦ出力ジョブを起動して、受信画像デ−タをＳＡＦメモリに逐次格納するとともにＳＡＦメモリに格納した受信画像デ−タを並行して読み出して出力し印刷するようにしたから、受信画像デ−タのデ−タ量が多くてもＳＡＦメモリに格納する受信画像デ−タのデ−タ量を少なくすることができ、ＳＡＦメモリの記憶領域を小さくすることができる。
　【００２５】
　また、パラレル受信で受信ジョブとＳＡＦ出力ジョブの両方を獲得してから着呼するようにして、ＳＡＦ出力ジョブが獲得できないときは着呼しないようにすることにより、受信動作が実行できないときに通話料が課金されてしまうことを防ぐことができる。
　【００２６】
　さらに、パラレル受信してＳＡＦ出力ジョブを実行してプロッタで印刷処理を行っている途中でプロッタにエラ−が発生したときに、ＳＡＦ出力ジョブを途中で消去せずにＳＡＦ出力ジョブの消去を受信ジョブで行うことにより、受信ジョブとＳＡＦ出力ジョブの整合を図ることができるとともに、消去されたジョブファイルＩＤを２重に獲得してしまうことによるジョブ管理の制御の煩雑を軽減することができる
　【００２７】
　また、パラレル受信でのポ−リング受信では、ポ−リング受信の宛先を登録するときに、ポ−リング受信ジョブのみ獲得し、ポ−リング受信でのＳＡＦ出力ジョブは通信が開始されたときに獲得するように制御することにより、空きジョブファイルの数に影響するメモリ−送信などでメモリ−送信ファイルの数を減少させないで使用することができる。
【図面の簡単な説明】
　【図１】
　この発明の実施例の構成を示すブロック図である。
　【図２】
　上記実施例の直接受信であるパラレル受信動作を示すフロ−チャ−トである。
　【図３】
　上記実施例のＳＡＦ出力ジョブの動作を示すフロ−チャ−トである。
　【図４】
　上記実施例の受信ジョブの動作を示すフロ−チャ−トである。
　【図５】
　ポ−リング受信の宛先登録動作を示すフロ−チャ−トである。
　【図６】
　上記実施例のポ−リング受信の宛先登録動作を示すフロ−チャ−トである。
　【図７】
　上記実施例のポ−リング受信動作を示すフロ−チャ−トである。
　【符号の説明】
　１　　　ファクシミリ装置
　２　　　ＣＰＵ
　５　　　操作表示部
　６　　　スキャナ
　７　　　プロッタ
　９　　　ＳＡＦメモリ
　１２　　ＳＡＦカ−ド